(57)【要約】【課題】  計器取替作業の負担が軽減されて計器取替工事の効率化が図れると共に、計器取替計画を予定通り遂行できる配電機器の端子カバーを提供する。【解決手段】  端子カバー１２両側の各側面部材１２ｄには、電線３の配線形態に応じて切り欠かれて、電線３が通されるノックアウト部１２ｂが予め形成されている。各ノックアウト部１２ｂは、３つの切り欠き区画１２b1，１２b2，１２b3が連接して形成されている。中央の一の基準区画１２b2を分ける境界Ａ１，Ａ２の、断面が台形状をした切り込みの深さｄ１は、隣接する他の拡大区画１２b1，１２b3を分ける境界Ｂ１，Ｂ２の、断面が台形状をした各切り込みの深さｄ２より深く設定されている。【選択図】  図６
2016110952.tif 000002
【特許請求の範囲】
【請求項１】
電線の配線形態に応じて切り欠かれて前記電線が通される切り欠き部が予め形成された、前記電線が接続される配電機器の端子部を覆う配電機器の端子カバーにおいて、
前記切り欠き部は、複数の切り欠き区画が連接して形成され、一の前記区画を分ける境界の切り欠き強度が、隣接する他の前記区画を分ける境界の切り欠き強度より弱く設定されていることを特徴とする配電機器の端子カバー。
【請求項２】
電線の配線形態に応じて切り欠かれて前記電線が通される切り欠き部が予め形成された、前記電線が接続される配電機器の端子部を覆う配電機器の端子カバーにおいて、
前記切り欠き部は、複数の切り欠き区画が連接して形成され、隣接する任意の２つの前記区画を挟む境界であって、残りの前記区画に接する境界の切り欠き強度が、残りの前記区画を分ける境界の切り欠き強度より弱く設定されていることを特徴とする配電機器の端子カバー。
【請求項３】
電線の配線形態に応じて切り欠かれて前記電線が通される切り欠き部が予め形成された、前記電線が接続される配電機器の端子部を覆う配電機器の端子カバーにおいて、
前記端子部の上方を覆う、幅方向に切り込みが形成された正面部材と、前記端子部の側方を覆う側面部材とを備え、
前記切り欠き部は、前記側面部材に形成され、前記切り込みに連続する境界を有する切り欠き区画を備えることを特徴とする配電機器の端子カバー。
【発明の詳細な説明】
【技術分野】
【０００１】
本発明は、電線の配線形態に応じて切り欠かれる切り欠き部が予め形成された、配電機器の端子部を覆う配電機器の端子カバーに関するものである。
【背景技術】
【０００２】
電力エネルギーの効率的な運用を図る一環として、電力需要家が電力需要量を変動させて電力供給側との需給バランスを一致させるデマンドレスポンスや、使用電力量を表示器に表示させる使用電力量の可視化が進行している。その端末としての電力量計（以下、計器と記す）も、スマートメーターという認識で、現行の従来形の計器からスマートメーターへの取り替えが始まっている。スマートメーターは、使用電力量の計測機能に加えて、数種のメディア通信機能および遠隔通信による開閉機能を備え、前記のデマンドレスポンスや、使用電力量の可視化に貢献する仕様となっている。
【０００３】
従来形の計器は長期にわたる取付け時期により、仕様の異なる計器が様々な需要家に様々な配線形態で取り付けられている。取付形態も、強化耐候形計器をそのまま屋外に取り付ける場合、強化耐候形計器を装飾的な計器箱に収めて使用する場合、また、雨線内で使用される普通耐候形計器を防雨・防雪目的で計器箱に収めて使用する場合などがある。特に屋外に取り付けられる強化耐候形計器は、接続電線まで端子カバーで覆うため電線の配線状態の影響を受けやすく、端子カバーの左右側面にノックアウト部が設けられている。このノックアウト部によれば、端子カバーに干渉する電線を逃がす切り欠き部を現場で容易に生成できる。
【０００４】
図１に示す計器は、雨線外に取り付けられる強化耐候形と、雨線内に取付けられる普通耐候形に種別される。強化耐候形の計器１に取り付けられる、同図に一点鎖線で示す端子カバー２は電線３まで覆う構造をしている。普通耐候形の計器１に取り付けられる、同図に点線で示す端子カバー４は端子部１ａの端子口までを覆う構造となっている。いずれの端子カバー２，４も計器１の端子部１ａを覆う構造になっており、端子部１ａでは、電線３のシース３ｂが剥がされた心線３ａが端子金具５によって接続されている。普通耐候形の計器１においては基本的に計器箱６と併用されるので直接雨にさらされることはないが、直接屋外に取り付ける仕様の強化耐候形の計器１においても計器箱６を併用する場合がある。計器箱６には、計器１の正面部だけを露出する開口部を具備するものと、計器１の全体を覆う普通耐候形用のものとがある。
【０００５】
強化耐候形用端子カバー２は、電線３まで覆うので電線３の配線形態の影響を受けやすい。計器１の周辺の電線３は、計器１の下方から端子金具５に接続されるが、そこに至るまでに様々な配線形態がある。例えば、図１のように壁面から引き出された電線３が計器１の下方から配線される形態や、図２のように上方から計器１の両側を通り、端子カバー２の下方に形成された挿通口２ａを経由して上方に折り返して配線される形態がある。
【０００６】
この形態で電線３の折り返しの長さが短い配線形態の場合には、電線３が端子カバー２に干渉して挿通口２ａを通せず、電線３の端子金具５への取り付けが困難になる。強化耐候形用の端子カバー２はこのような場合に対応するために、図３に示すように、端子カバー２の両側面にノックアウト部２ｂが設けられている。従来、このようなノックアウト部２ｂが設けられた電力量計の端子カバーとして、例えば、特許文献１の図１６に開示されたものがある。同文献に開示される端子カバーも、電源側電線および負荷側電線が挿通される挿通口が下方に形成され、ノックアウト部が両側面に予め形成されている。ノックアウト部２ｂは、工事現場において、電線３の配線形態に応じてペンチ等で端子カバー２の本体部から容易に引き剥がすことが可能で、容易に電線通し部を形成することができる。この処置により、上方から計器１の両側を通る電線３は、図４（ａ）のように左右に折られてノックアウト部２ｂの除去部を通って配線され、強化耐候形用の端子カバー２が計器１に取り付けられる。
【先行技術文献】
【特許文献】
【０００７】
【特許文献１】特開２００４−７７１５７号公報
【発明の概要】
【発明が解決しようとする課題】
【０００８】
しかしながら、一般に電線３の曲げ加工は比較的誤差が大きく、曲げ位置が基準位置から上方に移動しても下方に移動しても、電線３をノックアウト部２ｂの除去部に通せなくなる。例えば、図４（ｂ）に示すように、左右の電線３の配線形態がずれて、図で左側の電線３が長いと、左側の電線３と端子カバー２とが干渉する場合がある。この状態は計器１の設置現場において初めて認識されるので、従来、このような配線形態の場合には、端子カバー２の左側面のノックアウト部２ｂ除去部に切削やヤスリ掛けなどの追加工を行って切り欠き部を拡大し、端子カバー２を使用するしかない。これに対応するために切り欠き部を単純に拡大することも考えられるが、あまり切り欠き部が大きいと隙間も過大に大きくなり、場合によっては防雨という端子カバー本来の機能が低下する。
【０００９】
また、図１に示す計器箱６が小さく、強化耐候形用端子カバー２の長さが計器箱６内に収まらず、計器１に端子カバー２を取り付けられない場合もある。この場合には、端子カバー２を計器箱６に収まる長さ寸法に短く加工するか、普通耐候形用端子カバー４を代わりに使用するしかない。
【００１０】
このような各事態が計器１の取替現場で発覚すると、取替業務に支障をきたすことになる。特に計器１のスマートメーターへの取り替えは数量が多いので、このような状況では計器取替作業の負担が大きくなる。また、計器取替計画も取替現場の配線状況によって遅れてしまい、その予定通りの遂行が難しくなる。
【課題を解決するための手段】
【００１１】
本発明はこのような課題を解決するためになされたもので、
電線の配線形態に応じて切り欠かれて電線が通される切り欠き部が予め形成された、電線が接続される配電機器の端子部を覆う配電機器の端子カバーにおいて、
切り欠き部が、複数の切り欠き区画が連接して形成され、一の区画を分ける境界の切り欠き強度が、隣接する他の区画を分ける境界の切り欠き強度より弱く設定されていることを特徴とする。
【００１２】
本構成によれば、切り欠き部の一の区画を把持して一の区画を分ける境界に応力を掛けることで、一の区画だけが切り欠かれる。したがって、切り欠き部の一の区画部分が存在した箇所に電線を通して、配電機器の端子部に電線を接続することができる。また、電線の配線形態によって切り欠き部の一の区画に電線を通せない場合、その一の区画および電線が干渉する箇所の他の区画を把持して、一の区画と当該他の区画とが合体した１区画を分ける境界に応力を掛けることで、一の区画と当該他の区画とが切り欠かれる。したがって、端子カバーの切り欠き部の面積が電線が干渉する箇所で拡大するので、配電機器の端子部に電線を接続することができるようになる。このため、電線の配線形態によって電線が端子カバーに干渉する場合、従来のように、端子カバーに切削やヤスリ掛けなどの追加工を取替現場で行う必要がなくなり、計器の取替作業に従来掛かっていたこの追加工の労力及び時間を省くことが可能になる。この結果、計器取替作業の負担が軽減されて計器取替工事の効率化が図れると共に、計器取替計画を予定通り遂行できるようになる。
【００１３】
また、本発明は、
電線の配線形態に応じて切り欠かれて電線が通される切り欠き部が予め形成された、電線が接続される配電機器の端子部を覆う配電機器の端子カバーにおいて、
切り欠き部が、複数の切り欠き区画が連接して形成され、隣接する任意の２つの区画を挟む境界であって、残りの区画に接する境界の切り欠き強度が、残りの区画を分ける境界の切り欠き強度より弱く設定されていることを特徴とする。
【００１４】
本構成によれば、切り欠き部の隣接する任意の２つの区画を把持して、隣接する任意の２つの区画が合体した１区画を分ける境界に応力を掛けることで、隣接する任意の２つの区画だけが切り欠かれる。したがって、切り欠き部の隣接する任意の２つの区画部分が存在した箇所に電線を通して、配電機器の端子部に電線を接続することができる。このため、電線が干渉する箇所の隣接する２つの区画を把持して切り欠くことで、従来のように端子カバーに切削やヤスリ掛けなどの追加工を取替現場で行うことなく配電機器の端子部に電線を接続でき、計器の取替作業に従来掛かっていた追加工の労力及び時間を省くことが可能になる。この結果、計器取替作業の負担が軽減されて計器取替工事の効率化が図れると共に、計器取替計画を予定通り遂行できるようになる。
【００１５】
また、本発明は、
電線の配線形態に応じて切り欠かれて電線が通される切り欠き部が予め形成された、電線が接続される配電機器の端子部を覆う配電機器の端子カバーにおいて、
端子部の上方を覆う、幅方向に切り込みが形成された正面部材と、端子部の側方を覆う側面部材とを備え、
切り欠き部が、側面部材に形成され、前記切り込みに連続する境界を有する切り欠き区画を備えることを特徴とする。
【００１６】
本構成によれば、端子カバーの長さが長くて配電機器の端子部に端子カバーを取り付けられない場合、正面部材に形成された切り込みに連続する境界を有する切り欠き区画を切り欠いて、側面部材による正面部材の側方からの支えを切り込み部分で無くし、さらに、側方からの支えを失った正面部材を把持して切り込みに応力を掛けることで、正面部材は切り込みから切り離される。したがって、端子カバーの長さは、切り離された正面部材の長さ分だけ、短くなる。このため、従来のように、端子カバーの長さ寸法を取替現場で短く加工したり、代わりの端子カバーを使用することなく、配電機器の端子部に端子カバーを取り付けることが可能になる。この結果、計器取替作業の負担が軽減されて計器取替工事の効率化が図れると共に、計器取替計画を予定通り遂行できるようになる。
【発明の効果】
【００１７】
本発明によれば、計器取替作業の負担が軽減されて計器取替工事の効率化が図れると共に、計器取替計画を予定通り遂行できる配電機器の端子カバーを提供することができる。
【図面の簡単な説明】
【００１８】
【図１】強化耐候形用端子カバーまたは普通耐候形用端子カバーが取り付けられる計器に壁面から引き出された電線が接続された計器取付状態の正面図である。
【図２】強化耐候形用端子カバーの下方に形成された挿通口を経由して上方に折り返された電線が計器に接続された計器取付状態の正面図である。
【図３】ノックアウト部が設けられている従来の強化耐候形用端子カバーが装着された計器の斜視図である。
【図４】（ａ）は、ノックアウト部の除去部を通った電線が計器に接続された計器取付状態の正面図、（ｂ）は、左右の配線形態がずれた電線が計器に接続された計器取付状態の正面図である。
【図５】本発明の一実施の形態による強化耐候形用端子カバーが装着された計器の斜視図である。
【図６】（ａ）は、図５に示す一実施の形態による端子カバーの右側面図、（ｂ）は、同端子カバーの正面右側の側面部材に形成されたノックアウト部を同端子カバーの背面側から見た部分背面図、（ｃ）は、（ｂ）で円に囲まれた部分を一部拡大した一部拡大背面図、（ｄ）は、（ａ）で円に囲まれた部分を一部拡大した一部拡大側面図である。
【図７】（ａ）は、図６（ａ）に示すノックアウト部の基準区画だけが切り欠かれた状態における一実施の形態による端子カバーの部分側面図、（ｂ）は、基準区画と下方の拡大区画が切り欠かれた状態における同端子カバーの部分側面図、（ｃ）は、基準区画と上方の拡大区画が切り欠かれた状態における同端子カバーの部分側面図である。
【図８】本発明の他の実施の形態による強化耐候形用端子カバーの斜視図である。
【図９】（ａ）は、図８に示す他の実施の形態による端子カバーの右側面図、（ｂ）は、同端子カバーの正面右側の側面部材に形成されたノックアウト部を同端子カバーの背面側から見た部分背面図、（ｃ）は、（ｂ）に示す背面図の一部を拡大した一部拡大背面図、（ｄ）は、（ａ）で円に囲まれた部分を一部拡大した一部拡大側面図、（ｅ）は、切り込みが形成された部分の端子カバーの一部縦断面図、（ｆ）は、（ｅ）で円に囲まれた部分の一部拡大断面図である。
【図１０】（ａ）は、図９（ａ）に示すノックアウト部の中央の隣接する２区画が切り欠かれた状態における他の実施の形態による端子カバーの部分側面図、（ｂ）は、下方の隣接する２区画が切り欠かれた状態における同端子カバーの部分側面図、（ｃ）は、上方の隣接する２区画が切り欠かれた状態における同端子カバーの部分側面図、（ｄ）は、（ｃ）に示す状態にノックアウト部が切り欠かれた同端子カバーの斜視図である。
【図１１】（ａ）は、図１０（ｃ）に示す状態に切り欠かれたノックアウト部の正面部材除去用の区画がさらに切り欠かれた状態における他の実施の形態による端子カバーの部分側面図、（ｂ）は、（ａ）に示す状態にノックアウト部が切り欠かれた同端子カバーの斜視図、（ｃ）は、正面部材除去用の区画と最上段の区画とが同時に切り欠かれた状態における同端子カバーの部分側面図、（ｄ）は、正面部材が切り欠かれた同端子カバーの斜視図である。
【図１２】（ａ）は、切り込みの断面形状を変えて境界の切り欠き強度に強弱が付けられた各実施の形態の変形例による端子カバーのノックアウト部の一部拡大背面図、（ｂ）は、境界の端部における切り込み底部の切り欠き長さを変えることで境界の切り欠き強度に強弱が付けられた各実施の形態の他の変形例による端子カバーのノックアウト部の一部拡大側面図である。
【発明を実施するための形態】
【００１９】
次に、本発明による配電機器の端子カバーを電力量計に適用した、本発明を実施するための形態について説明する。
【００２０】
図５は、本発明の一実施の形態による強化耐候形用端子カバー１２が装着された計器１の斜視図である。
【００２１】
端子カバー１２は、樹脂で形成され、図１に示す従来の端子カバー２と同様、電線３まで覆う長さを有し、強化耐候形の計器１に取り付けられる。計器１の端子部１ａでは、電線３のシース３ｂが剥がされた心線３ａが端子金具５によって接続される。この際、電線３は、端子カバー１２の下方に形成された挿通口１２ａに通される。端子カバー１２は、電線３が接続される端子部１ａの上方を覆う正面部材１２ｃと、端子部１ａの側方を覆う側面部材１２ｄとを備える。
【００２２】
端子カバー１２両側の各側面部材１２ｄには、電線３の配線形態に応じて切り欠かれて、電線３が通される切り欠き部（以下、ノックアウト部と記す）１２ｂが予め形成されている。図６（ａ）は端子カバー１２の右側面図であり、本実施の形態では、各ノックアウト部１２ｂは、３つの切り欠き区画１２b1，１２b2，１２b3が連接して形成されている。同図（ｂ）は、端子カバー１２の正面右側の側面部材１２ｄに形成されたノックアウト部１２ｂを端子カバー１２の背面側から見た部分背面図である。また、同図（ｃ）は、同図（ｂ）で円に囲まれた部分を一部拡大した一部拡大背面図、同図（ｄ）は、同図（ａ）で円に囲まれた部分を一部拡大した一部拡大側面図である。
【００２３】
本実施の形態では、同図（ｃ）に示すように、中央の一の基準区画１２b2を分ける境界Ａ１，Ａ２の、断面が台形状をした切り込みの深さｄ１は、隣接する他の拡大区画１２b1，１２b3を分ける境界Ｂ１，Ｂ２の、断面が台形状をした各切り込みの深さｄ２より深く設定されている。このため、中央の一の基準区画１２b2を分ける境界Ａ１，Ａ２の切り欠き強度は、隣接する他の拡大区画１２b1，１２b3を分ける境界Ｂ１，Ｂ２の切り欠き強度より弱く設定されている。また、同図（ｄ）に示すように、各境界Ｂ１，Ａ１，Ａ２，Ｂ２の端部における側面部材１２ｄは、端子カバー１２の縁から長さＬだけ切り込みの底部分が切り欠かれ、各区画１２b1，１２b2，１２b3が切り欠き易くなっている。
【００２４】
このような構成において、計器１の取替現場で電線３の配線形態を確認して、ノックアウト部１２ｂの中央の一の基準区画１２b2に電線３を通す作業は、次のように行われる。つまり、基準区画１２b2の中央をペンチ１３等で把持して、基準区画１２b2を分ける境界Ａ１，Ａ２に応力を掛けることで、切り込み深さが境界Ｂ１，Ｂ２よりも深い境界Ａ１，Ａ２に応力が集中し、図７（ａ）に示すように、基準区画１２b2だけが切り欠かれる。したがって、ノックアウト部１２ｂの基準区画１２b2の部分が存在した箇所に電線３を通して、計器１の端子部１ａに電線３を接続することができる。
【００２５】
また、計器１の取替現場における電線３の配線形態により、電線３が基準区画１２b2の下方で端子カバー１２と干渉する場合には、基準区画１２b2の拡大区画１２b3と接する部分の境界Ａ２を中心に基準区画１２b2と拡大区画１２b3とをペンチ１３等で同時に把持して、基準区画１２b2と拡大区画１２b3とが合体した１区画を分ける境界Ａ１，Ｂ２に応力を掛けることで、図７（ｂ）に示すように、基準区画１２b2と拡大区画１２b3とが一緒に同時に切り欠かれる。
【００２６】
また、電線３が基準区画１２b2の上方で端子カバー１２と干渉する場合には、基準区画１２b2の拡大区画１２b1と接する部分の境界Ａ１を中心に基準区画１２b2と拡大区画１２b1とをペンチ１３等で同時に把持して、基準区画１２b2と拡大区画１２b1とが合体した１区画を分ける境界Ｂ１，Ａ２に応力を掛けることで、図７（ｃ）に示すように、基準区画１２b2と拡大区画１２b1とが一緒に同時に切り欠かれる。
【００２７】
すなわち、ノックアウト部１２ｂの基準区画１２b2に電線３を通せない場合、電線３が干渉する箇所の他の拡大区画１２b3または１２b1と基準区画１２b2とを同時に把持して、基準区画１２b2と当該他の拡大区画１２b3または１２b1とが合体した１区画を分ける境界Ａ１，Ｂ２またはＢ１，Ａ２に応力を掛けることで、基準区画１２b2と当該他の拡大区画１２b3または１２b1とが一緒に同時に切り欠かれる。
【００２８】
したがって、端子カバー１２のノックアウト部１２ｂは、実フィールドにおける電線３の多様な配線形態に対応して、その切り欠き面積が電線３が干渉する箇所で段階的に容易に拡大するので、計器１の端子部１ａに電線３を容易に接続することができるようになる。このため、電線３の配線形態によって電線３が端子カバー１２に干渉する場合、従来のように、端子カバー１２に切削やヤスリ掛けなどの追加工を取替現場で行う必要がなくなり、計器１の取替作業に従来掛かっていたこの追加工の労力及び時間を省くことが可能になる。この結果、計器取替作業の負担が軽減されて計器取替工事の効率化が図れると共に、計器取替計画を予定通り遂行できるようになる。
【００２９】
図８は、本発明の他の実施の形態による強化耐候形用端子カバー１４の斜視図である。
【００３０】
端子カバー１４も、樹脂で形成され、図１に示す従来の端子カバー２と同様、電線３まで覆う長さを有し、強化耐候形の計器１に取り付けられる。計器１の端子部１ａでは、電線３のシース３ｂが剥がされた心線３ａが端子金具５によって接続される。この際、電線３は、端子カバー１４の下方に形成された挿通口１４ａに通される。端子カバー１４は、電線３が接続される端子部１ａの上方を覆う正面部材１４ｃと、端子部１ａの側方を覆う側面部材１４ｄとを備える。
【００３１】
端子カバー１４両側の各側面部材１４ｄには、電線３の配線形態に応じて切り欠かれて、電線３が通されるノックアウト部１４ｂが予め形成されている。図９（ａ）は端子カバー１４の右側面図であり、本実施の形態では、各ノックアウト部１４ｂは、４つの切り欠き区画１４b1，１４b2，１４b3，１４b4が連接して形成されている。同図（ｂ）は、端子カバー１４の正面右側の側面部材１４ｄに形成されたノックアウト部１４ｂを端子カバー１４の背面側から見た部分背面図である。また、同図（ｃ）は、同図（ｂ）の一部を拡大した一部拡大背面図、同図（ｄ）は、同図（ａ）で円に囲まれた部分を一部拡大した一部拡大側面図である。
【００３２】
この他の実施の形態では、同図（ｃ）に示すように、中央の２つの区画１４b2，１４b3を分ける境界Ａの、断面が台形状をした切り込みの深さｄ１は、これら区画１４b2，１４b3に隣接する区画１４b1，１４b4を分ける境界Ｂ１，Ｂ２の、断面が台形状をした各切り込みの深さｄ２より深く設定されている。また、区画１４b1，１４b4を分ける境界Ｃ１，Ｃ２の、断面が台形状をした各切り込みの深さｄ３は、境界Ｂ１，Ｂ２の各切り込み深さｄ２より浅く設定されている。
【００３３】
このため、ノックアウト部１４ｂは、隣接する２つの区画１４b2，１４b3を挟む境界Ｂ１，Ｂ２であって、残りの区画１４b1，１４b4に接する境界Ｂ１，Ｂ２の切り欠き強度が、残りの区画１４b1，１４b4を分ける境界Ｃ１，Ｃ２の切り欠き強度より弱く設定されている。また、隣接する２つの区画１４b1，１４b2を挟む境界Ｃ１，Ａであって、残りの区画１４b3，１４b4に接する境界Ａの切り欠き強度が、残りの区画１４b3，１４b4を分ける境界Ｂ２，Ｃ２の切り欠き強度より弱く設定されている。また、隣接する２つの区画１４b3，１４b4を挟む境界Ａ，Ｃ２であって、残りの区画１４b1，１４b2に接する境界Ａの切り欠き強度が、残りの区画１４b1，１４b2を分ける境界Ｃ１，Ｂ１の切り欠き強度より弱く設定されている。
【００３４】
また、同図（ｄ）に示すように、各境界Ｃ１，Ｂ１，Ａ，Ｂ２，Ｃ２の端部における側面部材１４ｄは、端子カバー１４の縁から長さＬだけ切り込みの底部分が切り欠かれ、各区画１４b1，１４b2，１４b3，１４b4が切り欠き易くなっている。
【００３５】
また、この他の実施の形態では、端子カバー１４は、図８に示すように、正面部材１４ｃの背面側の幅方向に切り込み１４ｅが形成されている。図９（ｅ）は、切り込み１４ｅが形成された部分の端子カバー１４の一部縦断面図、同図（ｆ）は、同図（ｅ）で円に囲まれた切り込み１４ｅが形成された部分の一部拡大断面図である。また、端子カバー１４の両側の各側面部材１４ｄには、切り込み１４ｅに連続する境界Ｃ３を有する切り欠き区画１４b5が図８および図９（ａ）に示すように形成されており、切り欠き区画１４b1を分ける境界Ｃ１も切り込み１４ｅに連続している。
【００３６】
このような構成において、計器１の取替現場で電線３の配線形態を確認して、ノックアウト部１４ｂに電線３を通す作業は、電線３を通す位置に応じて次のように行われる。つまり、ノックアウト部１４ｂの隣接する２つの区画１４b2，１４b3に電線３を通す場合には、隣接する２つの区画１４b2，１４b3を分ける境界Ａを中心に両区画１４b2，１４b3を同時にペンチ１３等で把持して、両区画１４b2，１４b3が合体した１区画を分ける境界Ｂ１，Ｂ２に応力を掛けることで、残りの区画１４b1，１４b4を分ける境界Ｃ１，Ｃ２よりも切り込み深さが深い境界Ｂ１，Ｂ２に応力が集中し、図１０（ａ）に示すように、隣接する２つの区画１４b2，１４b3だけが切り欠かれる。
【００３７】
また、隣接する２つの区画１４b3，１４b4に電線３を通す場合には、隣接する２つの区画１４b3，１４b4を分ける境界Ｂ２を中心に両区画１４b3，１４b4を同時にペンチ１３等で把持して、両区画１４b3，１４b4が合体した１区画を分ける境界Ａ，Ｃ２に応力を掛けることで、隣接する境界Ｃ１，Ｂ１，Ａの中では、残りの区画１４b1，１４b2を分ける境界Ｃ１，Ｂ１よりも切り込み深さが深い境界Ａに応力が集中し、同図（ｂ）に示すように、隣接する２つの区画１４b3，１４b4だけが切り欠かれる。
【００３８】
また、隣接する２つの区画１４b1，１４b2に電線３を通す場合には、隣接する２つの区画１４b1，１４b2を分ける境界Ｂ１を中心に両区画１４b1，１４b2を同時にペンチ１３等で把持して、両区画１４b1，１４b2が合体した１区画を分ける境界Ｃ１，Ａに応力を掛けることで、隣接する境界Ａ，Ｂ２，Ｃ２の中では、残りの区画１４b3，１４b4を分ける境界Ｂ２，Ｃ２よりも切り込み深さが深い境界Ａに応力が集中し、同図（ｃ）に示すように、隣接する２つの区画１４b1，１４b2だけが切り欠かれる。同図（ｄ）はこのときの端子カバー１４の斜視図である。なお、同図において図８および図９と同一または相当する部分には同一符号を付してその説明は省略する。
【００３９】
すなわち、切り欠き部１４ｂの隣接する任意の２つの区画１４b2，１４b3または１４b3，１４b4または１４b1，１４b2を把持して、隣接する任意の２つの区画１４b2，１４b3または１４b3，１４b4または１４b1，１４b2が合体した１区画を分ける境界Ｂ１，Ｂ２またはＡ，Ｃ２またはＣ１，Ａに応力を掛けることで、隣接する任意の２つの区画１４b2，１４b3または１４b3，１４b4または１４b1，１４b2だけが切り欠かれる。したがって、ノックアウト部１４ｂの隣接する任意の２つの区画１４b2，１４b3または１４b3，１４b4または１４b1，１４b2の部分が存在した箇所に電線３を通して、計器１の端子部１ａに電線３を接続することができる。
【００４０】
この他の実施の形態では、４つの区画１４b1，１４b2，１４b3，１４b4はほぼ同じ面積で形成されている。したがって、隣接する任意の２つの区画が上記のように切り欠かれて形成される、電線３を通すための切り欠きは、ほぼ同じ大きさの面積で３つの位置に形成できる。このため、前述の実施の形態における、３つの区画１２b1，１２b2，１２b3でノックアウト部１２ｄが形成される構成よりも、切り欠き位置の設定範囲は拡大されている。
【００４１】
このような他の実施の形態でも、端子カバー１４のノックアウト部１４ｂは、実フィールドにおける電線３の多様な配線形態に対応して、切り欠き位置を上記のように容易に任意に変更できるので、計器１の端子部１ａに電線３を接続することができるようになる。このため、電線３の配線形態によって電線３が端子カバー１４に干渉する場合、従来のように、端子カバー１４に切削やヤスリ掛けなどの追加工を取替現場で行う必要がなくなり、計器１の取替作業に従来掛かっていたこの追加工の労力及び時間を省くことが可能になる。この結果、計器取替作業の負担が軽減されて計器取替工事の効率化が図れると共に、計器取替計画を予定通り遂行できるようになる。
【００４２】
また、この他の実施の形態による端子カバー１４は、その長さが長くて計器箱６（図１参照）の中に収まらず、計器１の端子部１ａに端子カバーを取り付けられない場合、強化耐候形用から普通耐候形用に現場で容易に変更することができる。
【００４３】
この場合、最初に、図１０（ｃ），（ｄ）に示すように切り込み部１４ｂの２つの区画１４b1，１４b2を切り欠く。その後、図１１（ａ）に示すように、正面部材１４ｃに形成された切り込み１４ｅに連続する境界Ｃ３を有する切り欠き区画１４b5をペンチ１３等で把持して切り欠いて、側面部材１４ｄによる正面部材１４ｃの側方からの支えをノックアウト部１４ｂで無くす。同図（ｂ）は、このときの端子カバー１４の斜視図である。ペンチ１３等の把持部分の長さに余裕があり、切り欠き区画１４b1と１４b5とを同時に把持できる場合には、同図（ｃ）に示すように、両区画１４b1，１４b5を同時に把持して１回で切り欠くようにしてもよい。
【００４４】
その後、さらに、側方からの支えを失った正面部材１４ｃを手等で把持して切り込み１４ｅに応力を集中して掛けることで、正面部材１４ｃは切り込み１４ｅで折れ曲がって切り離される。同図（ｄ）は、このときの端子カバー１４の斜視図である。したがって、端子カバー１４の長さは、切り離された正面部材１４ｃの長さ分だけ短くなり、端子部１ａの端子口まで覆う、図１に示す普通耐候形用の端子カバー４の長さと同等になる。このため、従来のように、端子カバー１４の長さ寸法を計器１の取替現場で短く加工したり、代わりの端子カバーを使用することなく、計器１の端子部１ａに端子カバー１４を取り付けることが可能になる。この結果、この点からも、計器取替作業の負担が軽減されて計器取替工事の効率化が図れると共に、計器取替計画を予定通り遂行できるようになる。
【００４５】
また、上記の各実施の形態では、ノックアウト部１２ｂにおける切り欠き区画１２b1〜１２b3を分ける境界Ｂ１，Ａ１，Ａ２，Ｂ２（図６（ｃ）参照）、およびノックアウト部１４ｂにおける切り欠き区画１４b1〜１４b5を分ける境界Ｃ１，Ｂ１，Ａ，Ｂ２，Ｃ２，Ｃ３（図９（ｃ）参照）は、側面部材１２ｄ，１４ｄの樹脂を凹ませて形成される。したがって、各端子カバー１２，１４を樹脂成形するための金型の加工工数は増加する方向にあるが、樹脂材料に関しては減少する方向にある。このため、量産品である端子カバー１２，１４のコストアップは材料面から抑制される。
【００４６】
なお、上記の各実施の形態では、ノックアウト部１２ｂにおける境界Ｂ１，Ａ１，Ａ２，Ｂ２、およびノックアウト部１４ｂにおける境界Ｃ１，Ｂ１，Ａ，Ｂ２，Ｃ２，Ｃ３は、その切り込みの深さｄ１，ｄ２，ｄ３を変えることで、応力集中の程度を調整して切り欠き強度に強弱を付け、必要箇所の境界を切り欠くときに、切り欠きが不要な箇所の境界が切り欠かれないようにした場合について、説明した。
【００４７】
しかし、切り込みの断面形状を変えて、Ｒ形状の有無等を断面につけることで、切り欠き強度に強弱を付けるようにしてもよい。例えば、図１２（ａ）に示すように、断面が台形状の切り込み２１と断面が半円状の切り込み２２とを側面部材１２ｄ，１４ｄに形成し、Ｒ形状が断面に無くて角部に応力の集中が起き易い断面台形状切り込み２１が形成された境界Ｄの切り欠き強度を、Ｒ形状を断面に有して応力の集中が起き難い断面半円状切り込み２２が形成された境界Ｅの切り欠き強度よりも、弱く設定するようにしてもよい。
【００４８】
また、境界Ｂ１，Ａ１，Ａ２，Ｂ２、および境界Ｃ１，Ｂ１，Ａ，Ｂ２，Ｃ２の端部における切り込み底部の切り欠き長さＬ（図６（ｄ），図９（ｄ）参照）を変えることで、切り欠き強度に強弱を付けるようにしてもよい。例えば、図１２（ｂ）に示すように、切り欠き長さＬ１で端部が切り欠かれた境界Ｆと、切り欠き長さＬ１よりも短い切り欠き長さＬ２で端部が切り欠かれた境界Ｇとを側面部材１２ｄ，１４ｄに形成し、長い切り欠き長さＬ１で端部が切り欠かれた境界Ｆの切り欠き強度を、短い切り欠き長さＬ２で端部が切り欠かれた境界Ｇの切り欠き強度よりも、弱く設定するようにしてもよい。
【００４９】
このような各構成によって各切り欠き区画１２b1〜１２b3、１４b1〜１４b5を分ける境界Ｂ１，Ａ１，Ａ２，Ｂ２、Ｃ１，Ｂ１，Ａ，Ｂ２，Ｃ２の切り欠き強度に強弱を付けた場合においても、上記の各実施の形態と同様な作用効果が奏される。
【産業上の利用可能性】
【００５０】
上記の実施形態では、本発明による配電機器の端子カバーを電力量計に適用した場合について、説明した。しかし、本発明による配電機器の端子カバーは、電力量計の端子カバーへの適用に限定されるものではなく、タイムスイッチ等の他の配電機器の端子カバーにも同様に適用することができ、同様な作用効果が得られる。
【符号の説明】
【００５１】
１…計器（電力量計）
１ａ…端子部
３…電線
３ａ…心線
３ｂ…シース
５…端子金具
６…計器箱
１２，１４…端子カバー
１２ａ，１４ａ…挿通口
１２ｂ，１４ｂ…ノックアウト部（切り欠き部）
１２b1〜１２b3、１４b1〜１４b5…切り欠き区画
１２ｃ，１４ｃ…正面部材
１２ｄ，１４ｄ…側面部材
１３…ペンチ等
１４ｅ，２１，２２…切り込み
Ｂ１，Ａ１，Ａ２，Ｂ２、Ｃ１，Ｂ１，Ａ，Ｂ２，Ｃ２，Ｃ３、Ｄ，Ｅ，Ｆ，Ｇ…境界
Ｌ，Ｌ１，Ｌ２…切り欠き長さ  
【図１】
2016110952.tif 000003
【図２】
2016110952.tif 000004
【図３】
2016110952.tif 000005
【図４】
2016110952.tif 000006
【図５】
2016110952.tif 000007
【図６】
2016110952.tif 000008
【図７】
2016110952.tif 000009
【図８】
2016110952.tif 000010
【図９】
2016110952.tif 000011
【図１０】
2016110952.tif 000012
【図１１】
2016110952.tif 000013
【図１２】
2016110952.tif 000014